(57)【要約】【課題】スイッチギヤに取付けた変流器や変成器の主回路から保護リレーまでの検査を自動的に行い、検査効率を向上させる。【解決手段】スイッチギヤの主回路導体に変流器７を接続し、この変流器７の二次側に保護リレー８を接続して変流比と位相とを試験検査する金属閉鎖形スイッチギヤの検査装置であって、変流器７の変流比、個数を設定する条件設定回路３と、変流器７に通電する通電回路４と、保護リレー８の出力を計測する計測回路５と、計測回路５で計測された実測値と条件設定回路３で設定された基準値とを比較する判定回路６と、を備えたことを特徴とする。【選択図】  図１
2015065715.tif 000002
【特許請求の範囲】
【請求項１】
主回路導体に変流器を接続し、この変流器の二次側に保護リレーを接続して変流比と位相とを試験検査する金属閉鎖形スイッチギヤの検査装置であって、
前記変流器の変流比、個数を設定する条件設定回路と、
前記変流器に通電する通電回路と、
前記保護リレーの出力を計測する計測回路と、
前記計測回路で計測された実測値と前記条件設定回路で設定された基準値とを比較する判定回路と、
を備えたことを特徴とする金属閉鎖形スイッチギヤの検査装置。
【請求項２】
前記変流器は、通電容量が８０〜３０００Ａであり、
前記通電回路は、出力電流が８０Ａであることを特徴とする請求項１に記載の金属閉鎖形スイッチギヤの検査装置。
【請求項３】
主回路導体に変成器を接続し、この変成器の二次側に保護リレーを接続して変圧比、位相、周波数を試験検査する金属閉鎖形スイッチギヤの検査装置であって、
前記変成器の変圧比、個数、周波数を設定する条件設定回路と、
前記変成器に電圧を印加する課電回路と、
前記保護リレーの出力を計測する計測回路と、
前記計測回路で計測された実測値と前記条件設定回路で設定された基準値とを比較する判定回路と、
を備えたことを特徴とする金属閉鎖形スイッチギヤの検査装置。
【請求項４】
前記変成器は、定格電圧が３〜１２ｋＶであり、
前記課電回路は、出力電圧が１３２Ｖであることを特徴とする請求項３に記載の金属閉鎖形スイッチギヤの検査装置。
【発明の詳細な説明】
【技術分野】
【０００１】
本発明の実施形態は、スイッチギヤに組み込まれた変流器、変成器などの計測機器の特性を試験検査する金属閉鎖形スイッチギヤの検査装置に関する。
【背景技術】
【０００２】
従来、スイッチギヤに組み込まれた変流器などの試験検査は、専用の測定装置を用い、検査員が変流比や位相などを測定していたので、多大の時間を要していた。これを改善するため、自動検査装置で変流器に低電流を通電し、変流比や位相などを測定するものが提案されている（例えば、特許文献１参照。）。
【０００３】
しかしながら、この自動検査装置では、変流器の試験検査が効率的に実施できるものの、変流器の二次側に接続された保護リレーまでの測定を行うものではない。このため、主回路から変流器を介して保護リレーの出力までの一連の試験検査を効率よく行うものが望まれていた。
【先行技術文献】
【特許文献】
【０００４】
【特許文献１】特開２０００−６９６２３号公報
【発明の概要】
【発明が解決しようとする課題】
【０００５】
本発明が解決しようとする課題は、変流器や変成器などの計測機器において、主回路から保護リレーの出力までの試験検査を自動的に行い、検査効率を向上させることのできる金属閉鎖形スイッチギヤの検査装置を提供することにある。
【課題を解決するための手段】
【０００６】
上記課題を解決するために、実施形態の金属閉鎖形スイッチギヤの検査装置は、主回路導体に変流器を接続し、この変流器の二次側に保護リレーを接続して変流比と位相とを試験検査する金属閉鎖形スイッチギヤの検査装置であって、前記変流器の変流比、個数を設定する条件設定回路と、前記変流器に通電する通電回路と、前記保護リレーの出力を計測する計測回路と、前記計測回路で計測された実測値と前記条件設定回路で設定された基準値とを比較する判定回路と、を備えたことを特徴とする。
【図面の簡単な説明】
【０００７】
【図１】本発明の実施例１に係る金属閉鎖形スイッチギヤの検査装置の構成を示すブロック図。
【図２】本発明の実施例１に係る金属閉鎖形スイッチギヤの検査装置の動作を説明するフロー図。
【図３】本発明の実施例２に係る金属閉鎖形スイッチギヤの検査装置の構成を示すブロック図。
【図４】本発明の実施例２に係る金属閉鎖形スイッチギヤの検査装置の動作を説明するフロー図。
【発明を実施するための形態】
【０００８】
以下、図面を参照して本発明の実施例を説明する。
【実施例１】
【０００９】
先ず、本発明の実施例１に係る金属閉鎖形スイッチギヤの検査装置を図１、図２を参照して説明する。図１は、本発明の実施例１に係る金属閉鎖形スイッチギヤの検査装置の構成を示すブロック図、図２は、本発明の実施例１に係る金属閉鎖形スイッチギヤの検査装置の動作を説明するフロー図である。
【００１０】
図１に示すように、検査装置は、自動試験を設定する制御装置１ａと、試験検査を実行する自動試験装置１ｂ（検査装置本体）と、被試験物となるスイッチギヤ１ｃで構成されている。
【００１１】
制御装置１ａには、後述する試験検査をプログラミングするＰＣが設けられている。自動試験装置１ｂには、ＰＣとの信号を送受信する通信回路２が設けられ、スイッチギヤ１ｃの内部回路の条件を設定する条件設定回路３に接続されている。条件設定回路３には、主回路に通電する通電回路４が接続されている。また、スイッチギヤ１ｃからの電流データを計測する計測回路５が設けられ、実測値と条件設定回路３で設定された基準値が比較される。これを判定回路６で判定し、結果を通信回路２に出力する。スイッチギヤ１ｃには、主回路導体に変流器７が接続され、二次側に保護リレー（ＭＣＲ）８が接続されている。通電回路４には、主回路導体に通電するための着脱自在の通電端子が設けられ、また、計測回路５には、保護リレー８の二次端子に接続するための着脱自在の接続端子が設けられている。
【００１２】
次に、動作について、図２を参照して説明する。図２に示すように、ＰＣからの信号を通信回路２で受信し、条件設定回路３で変流器７の個数、取付位置、変流比などの条件を設定する（ｓｔ１）。変流器７の通電容量は、８０〜３０００Ａを対象としている。そして、通電回路４を起動させ、主回路導体に８０Ａを通電する（ｓｔ２）。これを保護リレー８で計測し（ｓｔ３）、計測回路５に送信する（ｓｔ４）。計測回路５では、変流比と三相位相を計測し、判定回路６に送信する（ｓｔ５）。変流比±１０％以内、位相±３°以内であれば、適合とし（ｓｔ６）、これらを超過していれば、不適合とする（ｓｔ７）。結果は、通信回路２を介してＰＣに送信し、試験を終了する。
【００１３】
これにより、主回路導体に接続された変流器７から保護リレー８の出力までの一連の試験検査を自動的に行うことができる。通電回路４の出力電流は、８０Ａ一定であり、３０００Ａまでの変流器７の試験検査ができる。なお、適合と判定されると、次工程の試験に進むが、不適合と判定されると、変流器７および保護リレー８の単体特性確認、主回路導体の接続状態、制御線の接続状態などを確認し、必要に応じ部品交換を行い、再試験を行う。
【００１４】
上記実施例１の金属閉鎖形スイッチギヤの検査装置によれば、主回路導体に接続された変流器７から、この変流器７の二次側に接続された保護リレー８の出力までの試験を自動的に行うことができ、検査効率を向上させることができる。また、判定基準が一定のため、安定した品質とすることができる。
【００１５】
上記実施例１では、定常運転時の変流比などを検査したが、変流器７の二次側に別電源を接続し、過電流の検査を行うことができる。また、零相変流器にも適用することができる。
【実施例２】
【００１６】
次に、本発明の実施例２に係る金属閉鎖形スイッチギヤの検査装置を図３、図４を参照して説明する。図３は、本発明の実施例２に係る金属閉鎖形スイッチギヤの検査装置の構成を示すブロック図、図４は、本発明の実施例２に係る金属閉鎖形スイッチギヤの検査装置の動作を説明するフロー図である。なお、この実施例２が実施例１と異なる点は、計測機器が変成器であることである。図３、図４において、実施例１と同様の構成部分においては、同一符号を付し、その詳細な説明を省略する。
【００１７】
図３に示すように、スイッチギヤ１ｃには、主回路導体に変成器１０が接続され、二次側に保護リレー８が接続されている。自動試験装置１ｂには、電圧を印加する課電回路１１が設けられている。
【００１８】
次に、動作について、図４を参照して説明する。図４に示すように、ＰＣからの信号を通信回路２で受信し、条件設定回路３で変成器１０の変圧比、個数、周波数などの条件を設定する（ｓｔ１）。変成器１０の電圧クラスは、３〜１２ｋＶを対象としている。そして、課電回路１１を起動させ、主回路導体に１３２Ｖを印加する（ｓｔ２）。これを保護リレー８で計測し（ｓｔ３）、計測回路５に送信する（ｓｔ４）。計測回路５では、変圧比、三相位相、周波数を計測し、判定回路６に送信する（ｓｔ５）。変圧比±３％以内、位相±３°以内、周波数±１％以内であれば、適合とし（ｓｔ６）、これらを超過していれば、不適合とする（ｓｔ７）。これらの結果は、通信回路２を介してＰＣに送信し、試験を終了する。
【００１９】
これにより、主回路導体に接続された変成器１０から保護リレー８の出力までの一連の試験検査を自動的に行うことができる。課電回路１１の出力電圧は、１３２Ｖ一定であり、５０Ｈｚと６０Ｈｚの切換えを行う。なお、適合と判定されると、次工程の試験に進むが、不適合と判定されると、各種の確認を行い、再試験を行う。
【００２０】
上記実施例２の金属閉鎖形スイッチギヤの検査装置によれば、変成器１０の検査においても、実施例１と同様の効果を得ることができる。
【００２１】
上記実施例２では、定常運転時の変成比などを検査したが、変成器１０の二次側に別電源を接続し、過電圧や不足電圧の検査を行うことができる。また、接地形変成器にも適用することができる。また、実施例１の変流器と実施例２の変成器を通電回路と課電回路を切換えながら実施することができる。
【００２２】
以上述べたような実施形態によれば、変流器、変成器と、これらに接続された保護リレーまでの試験を自動的に行うことができ、試験効率を向上させることができ、品質を安定させることができる。
【００２３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２４】
１ａ  制御装置
１ｂ  自動試験装置
１ｃ  スイッチギヤ
２  通信回路
３  条件設定回路
４  通電回路
５  計測回路
６  判定回路
７  変流器
８  保護リレー
１０  変成器
１１  課電回路
【図１】
2015065715.tif 000003
【図２】
2015065715.tif 000004
【図３】
2015065715.tif 000005
【図４】
2015065715.tif 000006